(57)【要約】【課題】接着剤２８を介してハウジング３にコネクタ７を取り付けるときに、ハウジング３に対するコネクタ７の位置が位置決めされた電子回路装置を提供する。【解決手段】コネクタ７は、コネクタ底壁１５と、この底壁１５を矩形に囲む周壁１６と、この周壁１６から外側へ一部突出した部分から比較的厚肉の矩形に連続する取付部１８と、この取付部１８から上方および下方にそれぞれ突出する断面矩形の２つの位置決め部２０，２０と、を備えている。これらの位置決め部２０，２０は、これらの先端から周壁１６とは反対側に突出する円柱状の位置決め突起２１，２１をそれぞれ備えている。接着剤２８を介してコントローラハウジング３にコネクタ７を取り付けたときには、コネクタ７の位置決め突起２１は、コントローラハウジング３に形成された凹部２５と係合している。【選択図】図４
2016170857.tif 000002
【特許請求の範囲】
【請求項１】
合成樹脂製のコネクタと、
上記コネクタが取り付けられる開口部を有したハウジングと、
上記ハウジング内に収容される回路基板と、
上記コネクタにインサート成形され、上記開口部を通して、一端が上記回路基板に固定される、複数の端子と、
を備え、接着剤を介して上記コネクタが上記開口部に取り付けられている電子回路装置において、
上記コネクタは、上記接着剤から離れた位置に、ハウジングに形成された凹部または貫通孔と係合する位置決め突起を有する、電子回路装置。
【請求項２】
上記コネクタは、少なくとも２つの位置決め突起を有することを特徴とする請求項１に記載の電子回路装置。
【請求項３】
上記位置決め突起は、上記複数の端子と平行に延びており、上記端子と直交する方向について、上記ハウジングに対する上記コネクタの位置が位置決めされることを特徴とする請求項１または２に記載の電子回路装置。
【請求項４】
上記コネクタは、溝を有しており、上記ハウジングは、該溝に挿入される取付用突出部を有しており、上記接着剤は、上記溝と上記取付用突出部との間の所定の隙間に塗布されていることを特徴とする請求項１〜３のいずれかに記載の電子回路装置。
【発明の詳細な説明】
【技術分野】
【０００１】
本発明は、例えば自動車の電動ブレーキ等に用いられる電子回路装置に関する。
【背景技術】
【０００２】
一般に、電子回路装置は、複数の端子がインサート成形された合成樹脂製のコネクタと、上記コネクタが取り付けられるハウジングと、上記複数の端子の先端部が固定される回路基板と、を備えている。特許文献１の電子回路装置では、ハウジングにコネクタを取り付けるために、ハウジング側に溝が形成され、コネクタ側に上記溝内に挿入される突出部が形成されている。これらの溝と突出部との間には所定の隙間が残存しており、この隙間には、接着剤が充填されている。
【先行技術文献】
【特許文献】
【０００３】
【特許文献１】特開２０１３−６９４３９号公報
【発明の概要】
【発明が解決しようとする課題】
【０００４】
上記のような電子回路装置において接着剤を介してハウジングにコネクタを取り付ける際には、接着剤の未硬化時に、上記ハウジングの溝内での上記コネクタの突出部の移動がある程度許容されているため、上記溝および突出部は、ハウジングに対するコネクタの位置決めには寄与していない。従って、ハウジングに対するコネクタの位置のずれにより、コネクタの端子の先端を回路基板の対応するスルーホールに挿入することが困難になるおそれがある。
【課題を解決するための手段】
【０００５】
本発明では、
合成樹脂製のコネクタと、
上記コネクタが取り付けられる開口部を有したハウジングと、
上記ハウジング内に収容される回路基板と、
上記コネクタにインサート成形され、上記開口部を通して、一端が上記回路基板に固定される、複数の端子と、
を備え、接着剤を介して上記コネクタが上記開口部に取り付けられている電子回路装置において、
上記コネクタは、上記接着剤から離れた位置に、ハウジングに形成された凹部または貫通孔と係合する位置決め突起を有している。
【０００６】
このような構成では、接着剤を介してハウジングの開口部にコネクタを取り付けるときに、位置決め突起が、ハウジング側の凹部または貫通孔に係合することで、ハウジングに対するコネクタの位置が位置決めされる。
【発明の効果】
【０００７】
本発明によれば、ハウジングに対するコネクタの取付位置が所期の位置に確保され、コネクタにインサート成形された端子を、回路基板に形成された対応するスルーホールに滑らかに挿入することができるとともに、安定したシール性が作られる。
【図面の簡単な説明】
【０００８】
【図１】本発明に係る電子回路装置を備えた電動ブレーキ装置を示した斜視図である。
【図２】図１のコントローラハウジングを裏側から見た斜視図である。
【図３】図２のＡ−Ａ線に沿ったコントローラハウジングおよびコネクタの断面図である。
【図４】図３のコネクタが取り付けられたコントローラハウジングの部分を拡大した断面図である。
【図５】図２に示したコネクタを回路基板側から見た斜視図である。
【図６】本発明に係る電子回路装置の第２の実施例を示す断面図である。
【発明を実施するための形態】
【０００９】
以下、図面を参照しながら本発明の実施例について説明する。
【００１０】
図１には、本発明に係る電子回路装置を備えた電動ブレーキ装置が示されている。この電動ブレーキ装置は、倍力機構を構成する電動モータならびにボールねじ機構（いずれも図示せず）を収容したアクチュエータハウジング１と、上記電動モータの駆動制御を行うコントローラ２と、を備えている。コントローラ２は、筐体として、矩形の浅皿状をなすコントローラハウジング３と、このコントローラハウジング３の開口面を覆う同じく矩形の浅皿状をなすカバー４と、を備えており、図示するように、コントローラハウジング３が２本のネジ５によってアクチュエータハウジング１に取り付けられているとともに、カバー４が別の２本のネジ６によってコントローラハウジング３に取り付けられている。コントローラハウジング３の下部は、アクチュエータハウジング１から下方へ突出しており、この突出部分の裏側に合成樹脂製のコネクタ７が取り付けられている。
【００１１】
コントローラハウジング３は、金属部材、例えば熱伝導に優れたアルミニウム合金のダイキャストとして形成されており、周縁が全周に亘ってフランジ部８としてハウジング底壁９（図２および図３）から僅かに立ち上がっており、このフランジ部８の内側の空間に、回路基板１０が収容されている。
【００１２】
回路基板１０は、周縁の複数点ならびに中央の１点に配した複数のネジ１１によってコントローラハウジング３に固定されており、この取付状態において、コントローラハウジング３のハウジング底壁９との間に僅かな隙間１２（図３参照）が確保されるようになっている。従って、回路基板１０の裏側（コントローラハウジング３に向かう面）に実装された一部の電子部品（図示せず）は、この隙間１２内に収容される。
【００１３】
また、図２、図３に示すように、回路基板１０には、コネクタ７にインサート成形された複数の端子が、回路基板１０に形成された対応するスルーホールを貫通した上で回路基板１０の表側のパターン（図示せず）にハンダ付けされている。上記複数の端子は、上下方向に互いに整列した後述する上側端子１３と下側端子１４とからなる１組の端子を、コントローラハウジング３の幅方向（コントローラハウジング３の短辺３ａに沿った方向）に複数組連続するように配置して構成されている。
【００１４】
なお、図３は、図２のＡ−Ａ線に沿ったコントローラハウジング３およびコネクタ７の断面図であり、上述した複数組の端子のうちの１組の端子１３，１４が示されている。
【００１５】
図４は、図３のコントローラハウジング３の下部を拡大して概略的に示した図である。コネクタ７は、コネクタ底壁１５と、このコネクタ底壁１５の周囲を矩形に囲む周壁１６と、を備えており、これらのコネクタ底壁１５および周壁１６により凹部１７を形成している。コネクタ底壁１５には、インサート成形により金属製でかつ直線状の上側端子１３および下側端子１４が固定されており、これらの端子１３，１４が、上記周壁１６によって囲まれている。上記コネクタ７の凹部１７には、図示しないプラグが挿入され、このプラグに設けられた対応する２つの端子が、コネクタ７側の２つの端子１３，１４にそれぞれ接続される。
【００１６】
また、上記コネクタ底壁１５は、周壁１６から外側へ一部突出しており、この突出した部分から比較的厚肉の矩形に連続した取付部１８が回路基板１０に向かって延びている。この取付部１８の先端面１８ａには、回路基板１０側に開口する矩形に連続した溝１９が形成されている。
【００１７】
上記コネクタ７は、図５に示すように、取付部１８の上側および下側の長辺１８ａ，１８ａの中央部から上方および下方にそれぞれ突出する断面矩形の２つの位置決め部２０，２０をさらに備えている。ここで、２つの位置決め部２０，２０は、同じ形状を有している。また、位置決め部２０，２０は、これらの先端から上記周壁１６とは反対側に突出する円柱状の位置決め突起２１，２１をそれぞれ備えている。ここで、２つの位置決め突起２１，２１は、同じ形状を有している。位置決め突起２１，２１は、上記上側端子１３および下側端子１４と平行に延びている。
【００１８】
上記コントローラハウジング３は、図４に示すように、上側端子１３および下側端子１４を通す矩形の開口部２２を有し、この開口部２２の周縁に沿って、上記ハウジング底壁９から回路基板１０とは反対側に延びる比較的薄肉の取付用突出部２３を備えている。この取付用突出部２３の厚さは、取付部１８の溝１９の溝幅よりも薄くなっている。さらに、取付用突出部２３の突出長（ハウジング底壁９と直交する方向の長さ）は、取付部１８の溝１９の深さよりも短くなっている。従って、取付用突出部２３が溝１９内に挿入された状態では、取付用突出部２３と溝１９との間に、所定の隙間２４が残存していることになる。
【００１９】
上記コントローラハウジング３のハウジング底壁９には、上記位置決め部２０の位置決め突起２１が差し込まれる凹部２５が開口部２２の上下２箇所に形成されている。この凹部２５は、コネクタ７に向かって開口しており、ハウジング底壁９から回路基板１０側に部分的に凹んだ凹部底壁２６と、該凹部底壁２６を円形に囲む側壁２７と、を有している。凹部２５の内径は、位置決め突起２１の直径に対応している。
【００２０】
コネクタ７は、上記取付部１８の溝１９内に接着剤２８を塗布してコントローラハウジング３の取付用突出部２３に取り付けられる。この際、コネクタ７側の２つの位置決め突起２１，２１がコントローラハウジング３側の対応する２つの凹部２５，２５にそれぞれ係合することにより、コントローラハウジング３に対するコネクタ７の上下方向の移動が拘束される。従って、接着剤２８が硬化するまでの間、コントローラハウジング３側の取付用突出部２３がコネクタ７側の取付部１８の溝１９内の所定の位置に位置決めされる。そして、上記取付用突出部２３と溝１９とが所定の位置関係を維持したまま、接着剤２８が硬化する。位置決め突起２１は、接着剤２８の塗布領域から離れた位置にあり、接着剤２８が介在することなく凹部２５に直接に係合し、精度の高い位置決めがなされる。これにより、上記上側端子１３および下側端子１４と直交する方向について、上記コントローラハウジング３に対する上記コネクタ７の位置が位置決めされる。
【００２１】
また、上記の取付状態では、上記取付部１８の先端面１８ａならびにこれと連続している上記位置決め部２０の下側面２０ａが、ハウジング底壁９の上面９ａに当接している。これにより、ハウジング底壁９の厚さ方向へのコネクタ７の移動も拘束される。従って、上記上側端子１３および下側端子１４に平行な方向における上記コントローラハウジング３に対する上記コネクタ７の位置が位置決めされる。
【００２２】
なお、本実施例における接着剤２８としては、一般的な接着剤またはシール性がより高いＦＩＰＧ（Ｆｏｒｍｅｄ  Ｉｎ  Ｐｌａｃｅ  Ｇａｓｋｅｔ）が用いられる。
【００２３】
上記のようにコントローラハウジング３に対するコネクタ７の位置決めを行うのにコントローラハウジング３側の凹部２５およびコネクタ７側の位置決め突起２１を用いるようにしたことから、上記上側端子１３および下側端子１４と直交する方向について、上記コントローラハウジング３に対する上記コネクタ７の位置が正確に位置決めされ、コネクタ７にインサート成形された端子１３，１４を、回路基板１０に形成された対応するスルーホール２９，３０にそれぞれ滑らかに挿入することができる。
【００２４】
また、上記位置決め突起２１が上記凹部２５と係合した状態では、コネクタ７の位置決め部２０の下面２０ａがハウジング底壁９の上面９ａに当接していることから、端子１３，１４と平行な方向についても、コントローラハウジング３に対するコネクタ７の位置が位置決めされる。
【００２５】
さらに、上記のように接着剤２８を介してコントローラハウジング３にコネクタ７を取り付ける際に、接着剤２８が硬化するまで、コントローラハウジング３側の取付用突出部２３がコネクタ７側の取付部１８の溝１９内の所定の位置に位置決めされるため、上記取付用突出部２３が所定の位置にあるまま全周に亘って一定の厚さでもって接着剤２８が硬化し、安定したシール性が作られる。
【００２６】
また、コントローラハウジング３に対するコネクタ７の位置決めを行うのに上記凹部２５および上記位置決め突起２１を用いるようにしたことから、コネクタ７の位置決めを行う自動機を別途設けなくて済む。
【００２７】
図６は、本発明に係る電子回路装置の第２の実施例を示している。この実施例では、コントローラハウジング３のハウジング底壁９は、図４の実施例の凹部２５の代わりに、ハウジング底壁９の厚さ方向に貫通した同形の貫通孔３１を備えている。この貫通孔３１は、位置決め突起２１に対応した口径を有している。従って、このような構成によっても、コネクタ７にインサート成形された端子１３，１４を、回路基板１０に形成された対応するスルーホール２９，３０にそれぞれ滑らかに挿入することができるとともに、安定したシール性が作られる。
【００２８】
なお、上記各実施例では、２つの位置決め突起２１，２１を用いた例を開示したが、３つ以上の位置決め突起を用いるようにしてもよい。
【符号の説明】
【００２９】
２・・・コントローラ
３・・・コントローラハウジング
４・・・カバー
７・・・コネクタ
１０・・・回路基板
１３・・・上側端子
１４・・・下側端子
１８・・・取付部
１９・・・溝
２０・・・位置決め部
２１・・・位置決め突起
２３・・・取付用突出部
２５・・・凹部
２８・・・接着剤
３１・・・貫通孔
【図１】
2016170857.tif 000003
【図２】
2016170857.tif 000004
【図３】
2016170857.tif 000005
【図４】
2016170857.tif 000006
【図５】
2016170857.tif 000007
【図６】
2016170857.tif 000008